(57)【要約】【課題】            開閉体が閉鎖状態の際に、通過口における通過性と閉鎖性との内、現場状況に応じた好ましい方の特性を、向上することができる開閉装置を提供する。【解決手段】        通過可能な通過口１１ａを有する開閉体本体１１と、可撓性シート状の扉体１２とを備える開閉体１０により空間を仕切る開閉装置において、前記開閉体１０が閉鎖状態の際に通過可能な状態にある前記通過口を、前記扉体１２により、所定条件に応じてより閉鎖性の高い状態に変化させるようにした。【選択図】          図１
2005232911.tif 000002
【特許請求の範囲】
【請求項１】
通過可能な通過口を有する開閉体本体と、可撓性シート状の扉体とを備える開閉体により空間を仕切る開閉装置において、
前記開閉体が閉鎖状態の際に通過可能な状態にある前記通過口を、前記扉体により、所定条件に応じてより閉鎖性の高い状態に変化させるようにしたことを特徴とする開閉装置。
【請求項２】
上記開閉体が閉鎖状態の際に、上記通過口を開放状態に維持し、この開放状態に維持された上記通過口を、上記扉体により、所定条件に応じて閉鎖性がより高くなった閉鎖状態にするようにしたことを特徴とする請求項１記載の開閉装置。
【請求項３】
上記扉体は、上記通過口を閉鎖する方向へ付勢された状態で着脱手段により上記開閉体本体に係止され、
前記着脱手段は、火災発生により生じる上記所定条件に応じて上記扉体の係止状態を解除するように構成されていることを特徴とする請求項１又は２記載の開閉装置。
【請求項４】
上記着脱手段は、開放位置の上記扉体を、所定の温度条件で溶融する部材により、上記開閉体本体に係止することで構成されていることを特徴とする請求項３記載の開閉装置。
【請求項５】
上記通過口を、上記扉体によって閉鎖性の低い状態に所定時間維持した後に、同扉体によってより閉鎖性の高い状態に変化させるようにしたことを特徴とする請求項１乃至４何れか１項記載開閉装置。
【請求項６】
上記扉体の上端側を上記開閉体本体側に係止することで、この扉体を吊下げ状に具備している開閉装置であって、
この扉体の下端側部位を、上記開閉体本体に沿って上下に導かれるように、上記開閉体本体に係合したことを特徴とする請求項１乃至５何れか１項記載の開閉装置。
【請求項７】
上記扉体は、上記通過口を略全閉した際に、上記通過口を覆って上記開閉体本体側に重ね合わせられることを特徴とする請求項１乃至６何れか１項記載の開閉装置。
【請求項８】
上記扉体を第一の扉体とし、上記通過口を開放可能な閉鎖状態に維持する第二の扉体が具備されていることを特徴とする請求項１乃至７何れか１項記載の開閉装置。
【請求項９】
上記第二の扉体は、上記第一の扉体との間に上記開閉体本体を挟むようにして配設されるとともに、上記通過口を覆って上記開閉体本体側に重ね合わせられていることを特徴とする請求項８記載の開閉装置。
【請求項１０】
上記通過口は、より閉鎖性の高い状態に変化した際であっても、通過可能な状態にされていることを特徴とする請求項１乃至９何れか１項記載の開閉装置。
【発明の詳細な説明】
【技術分野】
【０００１】
本発明は、空間を仕切ったり開放したりする開閉体に、シート状の扉体によって開閉される通過口を具備している開閉装置に関し、特にスクリーンシャッター装置や、オーバーヘッドドアを含むシャッター装置、ロールスクリーン装置、ブラインド、オーニング装置等として好適な開閉装置に関するものである。
【背景技術】
【０００２】
従来、この種の発明には、人や物等の物体が通過可能な通過口を有する可撓性シート状の開閉体本体と、該開閉体本体に吊下げ状に止着され前記通過口を開閉可能にする可撓性シート状の扉体とから開閉体を構成し、前記扉体を前記開閉体本体の表裏両面に配設することで、前記通過口を前記扉体により閉鎖した際における遮炎性や遮煙性等、前記扉体による前記通過口の閉鎖性を向上したものがある（例えば特許文献１参照）。
【０００３】
しかしながら、上記従来技術によれば、火災等の非常時に、人や物等が避難のために前記通過口を通過する際、開閉体の表側と裏側とに具備された双方の扉体を開放する必要があるため、通過口を速やかに通過できないおそれがある。
そこで、例えば表側と裏側の両扉体の内の一方を省くことが考えられるが、この場合には、扉体を表裏両面に有する場合と比較して、通過口の閉鎖性が低下してしまう。
すなわち、人や物等の物体が通過口を通過しようとする際は、その通過性が良好であり、火炎や煙等が通過口を通過しようとする際には、扉体による閉鎖性が良好であることが望まれるが、これら通過性と閉鎖性とは相反する特性である。
【特許文献１】特開平１１−１４１２４９号公報
【発明の開示】
【発明が解決しようとする課題】
【０００４】
本発明は上記従来事情に鑑みてなされたものであり、その課題とする処は、開閉体が閉鎖状態の際に、通過口における通過性と閉鎖性との内、現場状況に応じた好ましい方の特性を、向上することができる開閉装置を提供することにある。
【課題を解決するための手段】
【０００５】
上記課題を解決するために第一の発明は、通過可能な通過口を有する開閉体本体と、可撓性シート状の扉体とを備える開閉体により空間を仕切る開閉装置において、前記開閉体が閉鎖状態の際に通過可能な状態にある前記通過口を、前記扉体により、所定条件に応じてより閉鎖性の高い状態に変化させるようにしたことを特徴とする。
【０００６】
ここで、本発明に係わる開閉装置には、開動作可能な開閉体が閉状態のみで用いられる態様や、開閉体が閉動作のみを行うように用いられる態様、開閉体が開動作と閉動作との双方を行うように用いられる態様等を含む。
また、この開閉装置には、開閉体を巻取り装置によって巻取り、該巻取り装置から繰出すようにした態様や、開閉体を巻き取ることなく天井裏等の収納スペースに収納し、該収納スペースから繰出すようにした態様等を含む。
【０００７】
また、上記開閉体本体は、人や物体等の通過物が通過可能な通過口を有するものであればよい。この開閉体本体には、複数のスラットやパイプを開閉方向へ連設してなる態様や、パネルや、シート状物、ネット状物を開閉方向へ単数もしくは複数連設してなる態様、あるいはスラット、パネル、パイプ、シート状物、ネット状物等を適宜に組み合わせてなる態様等を含むが、閉鎖性や開閉スピードを向上する観点から、シート状物からなる態様とするのが好ましい。
【０００８】
また、上記通過口とは、上記開閉体本体を貫通した開口部であって、上記開閉体が閉鎖状態の際に人や物等の通過物を通過可能な状態であればよい。
なお、「通過可能な状態にある前記通過口」とは、上記通過口が予め通過物を通過可能に所定の面積でもって開口している態様や、通過物の通過に伴って開口する部分が通過口となる態様等を含む。
すなわち、後者の態様の具体例としては、上記開閉体本体を可撓性シート状物から構成し、この開閉体本体に切り込み部（スリット）を形成し、該切り込み部が通過物の通過の際に押し広げられて通過口となるようにした態様や、前記開閉体本体にに略上下方向の切り込み部と、該切り込み部の下端側に連続する略左右方向の切り込み部とを設け、これら両切り込み部に沿う部位が通過物の通過に伴い押し広げられて略三角形状の通過口となるようにした態様等が挙げられる。
また、上記通過口を、前記具体例のように切り込み部に沿う部位の開放によって構成されるようにした場合、その切り込み部に沿う部位が扉体として機能するため、別途扉体を設けない態様としてもよいが、より閉鎖性を向上するためには、前記切り込み部に重ね合わせるようにして、別途扉体が設けられる。
【０００９】
また、上記扉体は、上記通過口を開放したり閉鎖したりする可撓性シート状の部材であり、上記開閉体の開閉動作と一体的に開閉体開閉方向へ動作する部材である。
また、この扉体は、一つの通過口に対し一つだけ設けられた態様であってもよいし、一つの通過口に対し複数設けられた態様であってもよい。
前者の態様について、より詳細に説明すれば、一つの通過口を開閉可能な一つの扉体を備え、該扉体は、上記開閉体が閉鎖状態の際に所定条件に応じて、上記通過口をより閉鎖性の高い状態に変化させるように構成される。
また、後者の態様には、更に、一つの通過口に対し扉体が開閉体厚さ方向へ重なり合うように複数配設される態様と、一つの通過口に対し扉体が開閉体幅方向へ複数配設される態様とがあり、何れの態様であっても構わない。そして、これら何れの態様においても、複数の扉体の内の少なくとも一つは、所定条件に応じて、上記通過口をより閉鎖性の高い状態に変化させるように構成される。
なお、前記のように扉体を複数設ける場合、通過口の通過性と閉鎖性との双方を維持するためには、複数の扉体の内の少なくとも一つは、所定条件に応じて、上記通過口をより閉鎖性の高い状態に変化させるように構成し、他の扉体の内の少なくとも一つは、上記通過口を開放可能に閉鎖した位置にされることが好ましい。
【００１０】
また、上記扉体および上記通過口の開閉体幅方向の配設数は、単数であっても複数であってもよい。
【００１１】
上記扉体および上記通過口を左右方向に複数設ける場合の好ましい具体例としては、複数の上記扉体および上記通過口を、上記開閉体の中央を基準に左右方向の両端近傍に対称または略対称に設けた態様が挙げられる。
この態様によれば、通常、火災等により発生する煙や炎等は開閉体の中央を境に左右何れかに偏る場合が多いため、その煙や炎等を避けるようにして、左右両端近傍の通過口の内、一方側の通過口を選択的に利用することができる。また、扉体および通過口は、開閉体の左右方向の中央側にある場合と比較して、同左右方向の端部側にある方が閉鎖性も良好である。
また、この態様において、より閉鎖性の高い状態に変化する順序性やタイミング等については任意とすればよいが、通過の際に特別な制限や事情等がなければ、より閉鎖性の高い状態に変化するのは同時または略同時とするのが好ましい。
また、意識的な通過誘導等の事情があって、ある特定の通過口を通過するのが好ましい場合には、この特定の通過口を意識的に閉鎖性の高い状態（換言すればより通過し難い状態）に時間的に遅く変化させるようにしてもよい。
なお、前述した略対称や略同時における「略」とは、製造誤差や、施工誤差、品質誤差、制御状のタイムラグ、経年変化等により完全な対称や完全な同時ではないものの、利用する上においては対称や同時である場合と実質的に同等と扱うことを意味している。
【００１２】
また、上記扉体の好ましい具体例としては、少なくとも下端部側を自由端部とした吊り下げ状に止着され、押す、引く、捲る等することで上記通過口を開放し、自重により上記通過口を閉鎖する態様とする。より具体的に説明すれば、その上端部が固定されて、左右の側辺部側および下端部側が開放されるようにした態様や、上端部と一方の側辺部とを固定して、他方の側辺部側と下端部側とが開放されるようにした態様等とする。
また、上記扉体の他の具体例としては、その一方の側端部側が上記開閉体本体に止着され、その他の部位が略開き戸状に開閉される態様とすることも可能である。
【００１３】
また、「前記開閉体が閉鎖状態の際に」とは、上記開閉体が少なくとも閉鎖状態にある際であればよく、上記開閉体が開放状態にある際の通過口の状態は限定しない。
【００１４】
また、上記所定条件の具体例としては、温度上昇の感知、温度低下の感知、炎感知、煙感知、火災発生信号の受信、火災発生後に経過した時間、開閉体の閉鎖後に経過した時間等が挙げられる。
この所定条件は、当該開閉装置が防災目的等で用いられる場合、火災発生により生じる条件（例えば、温度上昇の感知、炎感知、煙感知、火災発生信号の受信、火災発生後に経過した時間等）とするとするのが好ましいが、当該開閉装置が例えば冷気を遮断する目的等で用いられる場合等には、例えば温度低下の感知を条件としてもよい。
【００１５】
また、「前記通過口を、前記扉体により、所定条件に応じてより閉鎖性の高い状態に変化させる」という構成は、より具体的に説明すれば、上記通過口を、上記扉体によって、所定条件に応じてより閉鎖された状態に変化させることを意味する。
この構成には、略全開状態の上記通過口が所定条件に応じて略全閉状態まで変化するようにした態様や、略全開状態の上記通過口が所定条件に応じて部分的に開口した状態まで変化するようにした態様、部分的に開口した上記通過口が所定条件に応じて略全閉状態まで変化するようにした態様、部分的に開口した上記通過口が所定条件に応じてより閉鎖された開口状態まで変化するようにした態様等を含む。
なお、この構成には、機械的な構成からなる態様や、機械的な構成と電気的な構成とを併せ持つ態様等を含む。
この構成の具体例としては、上記扉体を温度変化により状態が変化する部材により係止し、その係止状態が温度変化により解除された際、この扉体によって上記通過口をより閉鎖性の高い状態に変化させるようにした態様が挙げられる。
また、他の具体例としては、上記開閉体近傍の温度を検知するセンサーを備え、該センサーによる検知温度が所定温度となったことを条件に、上記扉体によって上記通過口をより閉鎖性の高い状態に変化させるようにした態様や、上記開閉体の閉鎖や非常信号を感知してカウントを開始するタイマーを備え、該タイマーによるカウントが所定値となったことを条件に、上記扉体によって上記通過口をより閉鎖性の高い状態に変化させるようにした態様、上記通過路を通過する通過者を検知するセンサーや踏み板状感知部等を備え、このセンサーや踏み板状感知部等により通過者が検知されてから所定時間経過したことを条件に、上記扉体によって上記通過口をより閉鎖性の高い状態に変化させるようにした態様等が挙げられる。
また、この構成には、上記扉体を所定条件に応じて連続的に閉鎖動作させる態様や、上記扉体を所定条件に応じて断続的に閉鎖動作させる態様等を含み、特に、閉鎖動作する上記扉体が通過物に当接するのを防ぐためには、後者の態様が好ましい。
また、この構成の他の好ましい態様としては、上記扉体の閉鎖動作に抵抗をつける構成とすることで、上記扉体を比較的低速度で閉鎖するようにしてもよい。この構成によれば、閉鎖動作する上記扉体が万が一通過物に当接した際であっても、その当接の際の衝撃を緩和することができる。
【００１６】
更に、上記構成には、略全閉位置（上記扉体が上記通過口を略全閉した位置）にされた上記扉体と上記開閉体本体との隙間を、上記所定条件に応じて小さくすることで、上記通過口をより閉鎖性の高い状態に変化させるようにした態様を含む。
この態様の具体的としては、全閉位置にある扉体と開閉体本体との間に発泡剤を配設し、所定温度に達した際に、該発泡剤が発泡して、上記扉体と上記開閉体本体との隙間が小さくなるようにした態様が挙げられる。この具体例によれば、前記発泡剤により上記扉体と上記開閉体本体との隙間が小さくなるため、例えば災害時等に発生する炎や煙等が通過口を通り抜けるのを効果的に阻むことができる。
また、他の具体例としては、略全閉位置にある扉体を、所定条件に応じて開放不能にロックすることで、上記通過口をより閉鎖性の高い状態に変化させるようにした態様が挙げられる。
この具体例によれば、全閉位置にある扉体がロックされた際、開閉体内外の気圧差等により扉体が開放し、上記通過口の閉鎖性を損ねてしまうのを防ぐことができる。
【００１７】
また、第二の発明では、上記開閉体が閉鎖状態の際に、上記通過口を開放状態に維持し、この開放状態に維持された上記通過口を、上記扉体により、所定条件に応じて閉鎖性がより高くなった閉鎖状態にするようにしたことを特徴とする。
【００１８】
ここで、上記開放状態とは、人や物等の物体が通過可能な程度の面積で上記通過口が開口されている状態であればよく、その通過性をより良好にするためには、上記通過口を略全開した状態とするのが好ましい。
また、上記閉鎖状態とは、上記扉体による上記通過口の閉鎖性が上記開放状態よりも高い状態であればよいが、その閉鎖性をより高くするためには、上記通過口を略全閉した状態とするのが好ましい。
【００１９】
また、第三の発明では、上記扉体は、上記通過口を閉鎖する方向へ付勢された状態で着脱手段により上記開閉体本体に係止され、前記着脱手段は、火災発生により生じる上記所定条件に応じて上記扉体の係止状態を解除するように構成されていることを特徴とする。
【００２０】
ここで、火災発生により生じる上記所定条件には、例えば熱感知、炎感知、煙感知、火災発生信号の受信、火災発生後に経過した時間や、火災発生により上記開閉体が閉鎖されてから経過した時間等を含む。
なお、上記着脱手段は、上記扉体を上記開閉体本体に係止し、その係止状態を、火災発生により生じる上記所定条件に応じて解除する構成であればよく、この着脱手段には、機械的な構成のみからなる態様や、機械的な構成および電気的な構成からなる態様等を含む。
また、上記扉体を上記通過口が閉鎖される方向へ付勢する手段としては、例えば、上記扉体をその自重によって付勢した態様や、上記扉体をスプリングやゴム等の弾性体によって付勢した態様等が挙げられる。
【００２１】
また、第四の発明では、上記着脱手段は、開放位置の上記扉体を、所定の温度条件で溶融する部材により、上記開閉体本体に係止することで構成されていることを特徴とする。
【００２２】
ここで、「所定の温度条件で溶融する部材」は、上記扉体を上記開閉体本体に係止した際に、その状態を維持可能な係止力を有し、且つ、所定の温度条件で溶融し始めるものであればよい。
この発明の具体例としては、上記扉体を、所定温度で溶融する接着剤や、所定温度で溶融する合成樹脂材料や金属材料（例えば温度ヒューズ等を含む）等を用いて、上記開閉体本体に係止するようにした態様が挙げられ、開閉体の厚さ方向の寸法を比較的小さくできることや、止着作業が容易なこと等より、前記接着剤を用いた態様が特に好ましい。
なお、上記所定の温度条件は、例えば、災害時等により当該開閉装置の近傍の雰囲気温度や当該開閉装置自体の温度等が上昇した場合の温度を考慮して設定される温度条件である。
【００２３】
また、第五の発明では、上記通過口を、上記扉体によって閉鎖性の低い状態に所定時間維持した後に、同扉体によってより閉鎖性の高い状態に変化させるようにしたことを特徴とする。
【００２４】
ここで、上記所定時間とは、上記通過口が閉鎖性の低い状態に維持されている時間であり、この時間は、例えば、上記開閉体が閉鎖された後や、火災発生信号を受信した後等に確保される時間とされる。
【００２５】
また、第六の発明では、上記扉体の上端側を上記開閉体本体側に係止することで、この扉体を吊下げ状に具備している開閉装置であって、この扉体の下端側部位を、上記開閉体本体に沿って上下に導かれるように、上記開閉体本体に係合したことを特徴とする。
【００２６】
ここで、上記扉体の上端側とは、上記扉体の下端側が開放可能なように、上記開閉体本体に係止される位置であればよく、この上端側には、上記扉体の上端部や、上端部よりも適宜に下方へ離れた位置等を含む。
また、上記扉体の下端側部位を上記開閉体本体に係合させる手段には、例えば、上記開閉体本体の面に、上記扉体の下端側部位における開閉体幅方向の端部を断面略コ字状に囲み、該端部を上下方向へ案内するようにした態様や、上記扉体の下端側部位における開閉体幅方向の端部に、上記通過口の側縁を囲む凹状部位を設け、該凹状部位が上記通過口の側縁に沿って案内されるようにした態様等が挙げられる。
なお、上記下端側部位には、上記扉体の下端部や、該下端部よりも適宜に上方へ離れた位置等を含む。
【００２７】
また、第七の発明では、上記扉体は、上記通過口を略全閉した際に、上記通過口を覆って上記開閉体本体側に重ね合わせられることを特徴とする。
【００２８】
すなわち、この発明によれば、略全閉された上記扉体と上記開閉体本体とが重なり合う部分が形成され、この重なり合う部分により、上記通過口の閉鎖性が向上される。
なお、前記重なり合う部分とは、上記扉体の側端側や下端側が上記通過口の周囲の部位に重ね合わせられることで形成される部分である。
【００２９】
また、第八の発明では、上記扉体を第一の扉体とし、上記通過口を開放可能な閉鎖状態に維持する第二の扉体が具備されていることを特徴とする。
【００３０】
すなわち、この発明では、上記開閉体が閉鎖状態にある際に上記通過口を所定条件に応じてより閉鎖性の高い状態に変化させる第一の扉体と、同通過口を開放可能な略閉鎖状態に維持する第二の扉体とを具備している。
なお、この発明においては、第一の扉体と第二の扉体とは、それぞれ単数であっても複数であっても構わないが、上記通過口の閉鎖性と通過性との双方を必要最小限の数の扉体によって向上するためには、上記扉体を二つとし、その内の一方を上記第一の扉体とし、他方を第二の扉体とする。
【００３１】
また、第九の発明では、上記第二の扉体は、上記第一の扉体との間に上記開閉体本体を挟むようにして配設されるとともに、上記通過口を覆って上記開閉体本体側に重ね合わせられていることを特徴とする。
【００３２】
すなわち、この発明では、上記第一の扉体と上記第二の扉体とが開閉体厚さ方向に並んで配設され、これら両扉体の間に、上記開閉体本体が配設される。そして、少なくとも上記第二の扉体は、上記通過口を覆って上記開閉体本体側に重ね合わせられている。
【００３３】
また、第十の発明では、上記通過口は、より閉鎖性の高い状態に変化した際であっても、通過可能な状態にされていることを特徴とする。
【００３４】
ここで、「通過可能な状態」の具体例としては、上記通過口が上記扉体により略全閉されるが、上記扉体を捲る等の操作により開放することで、上記通過口を通過できるようにした態様や、上記通過口が部分的に通過可能な開口部を有するように上記扉体により中途位置まで閉鎖されるようにした態様等が挙げられ、上記扉体が上記通過口を全閉して通過不能にロックされる構成を除く。
【００３５】
なお、本明細書中において「開閉体厚さ方向」とは、閉鎖状態の開閉体の厚さ方向を意味する。
また、本明細書中において「開閉体幅方向」とは、開閉体の開閉方向と略直交する方向であって、上記開閉体の厚さ方向ではない方向を意味する。
また、本明細書中において「開閉体開閉方向」とは、開閉体が空間を仕切ったり開放したりするために移動する方向を意味する。
【００３６】
また、上記第六の発明は、上記第一乃至五何れか一の発明の特徴として記載した構成を具備しない独立した発明としても、後述する第六の発明の作用効果と略同様の作用効果を奏する。
すなわち、この発明は、通過可能な通過口を有する開閉体本体と、前記通過口を開閉可能な可撓性シート状の扉体とから開閉体を構成し、該開閉体により空間を仕切ったり開放したりするようにした開閉装置において、上記扉体の上端側を上記開閉体本体側に係止することで、この扉体を吊下げ状に具備し、この扉体の下端側部位を、上記開閉体本体に沿って上下に導かれるように、上記開閉体本体に係合したことを特徴とする。
【発明の効果】
【００３７】
本発明は、以上説明したように構成されているので、以下に記載されるような作用効果を奏する。
第一の発明によれば、開閉体が閉鎖状態にある際、通過口が、扉体により、所定条件に応じてより閉鎖性の高い状態に変化する。
したがって、通過口がより閉鎖性の高い状態に変化する前は、避難等のために人や物等が通過口を通過する際、その通過が容易である。
そして、通過口がより閉鎖性の高い状態に変化した後には、例えば災害時等に発生する炎や煙等が通過口を通り抜けるのを効果的に阻むことになる。
したがって、開閉体が閉鎖状態の際に、通過口における通過性と閉鎖性との内、現場状況に応じた好ましい方の特性を、向上することができる。
【００３８】
更に、第二の発明によれば、開閉体が閉鎖状態にある際、通過口が開口部を有する開放状態に維持されるため、避難等のために人や物等が通過口を通過する際、その通過が容易である。
また、災害時等における熱や煙の発生等、所定条件に応じて、通過口が、扉体により、閉鎖性のより高い閉鎖状態にされる。
したがって、開閉体が閉鎖状態の際に、通過口における通過性と閉鎖性との内、現場状況に応じた好ましい方の特性を、より効果的に向上することができる。
【００３９】
更に、第三の発明によれば、開閉体本体に係止されている扉体は、火災発生により生じる所定条件（例えば熱感知、炎感知、煙感知、火災発生信号の受信、火災発生後に経過した時間等）により係止状態を解除すると、閉鎖方向へ付勢されて、通過口をより閉鎖性の高い状態にする。
よって、通過口を火災発生の際の現場状況に応じて自動的により閉鎖性の高い状態にすることができる。その上、使い勝手が良く、扉体を自動的に閉鎖動作させる構造も簡素である。
【００４０】
更に、第四の発明によれば、溶融時間によって、通過者が通過口を通過する時間を確保することができる。
すなわち、より具体的に説明すれば、例えば、火災等の発生直後であって、その熱影響が小さい内は、扉体を係止している部材が溶融しないため、扉体が開放位置に維持される。そのため、通過口の通過が容易である。
そして、火災等による熱影響が大きくなった際には、扉体を係止している部材が溶融するため、蓋部材が自動的に通過口を閉鎖する方向へ動作して、通過口の閉鎖性が向上する。
【００４１】
更に、第五の発明によれば、通過口が閉鎖性の比較的低い状態に所定時間維持されるため、その所定時間によって、通過口が比較的通過し易い状態にある時間を確保できる。
【００４２】
更に、第六の発明によれば、該扉体の下端側部位が開閉体本体に係合しているため、扉体が閉鎖位置にある際に、開閉体内外の圧力差等の影響を受けたとしても扉体と開閉体本体との間に隙間を生じ難く、扉体による通過口の閉鎖性が良好である。
また、扉体が開閉体本体に沿って閉鎖動作するため、扉体の閉鎖動作が安定する。しかも、閉鎖された開閉体の近傍に物体がある場合に、その物体と閉鎖動作中の扉体との接触を防ぐことができる上、その物体に閉鎖動作中の扉体が引っかかって閉鎖しなくなってしまうのを防ぐことができる。
【００４３】
更に、第七の発明によれば、扉体により通過口が略全閉された際、その扉体は、通過口を覆って開閉体本体に重ね合わせられる。そのため、扉体と開閉体本体との重なり合い部分により、扉体による通過口の閉鎖性を比較的高く維持することができる。
【００４４】
更に、第八の発明によれば、第一の扉体が通過口を開放した位置に維持されている状態であっても、第二の扉体が同通過口を閉鎖状態に維持するため、必要最低限の閉鎖性を確保することができる。
【００４５】
更に、第九の発明によれば、通過者は、例えば開放位置にある第一の扉体側から通過口に進入し、第二を扉体を押し開けることで、通過口を通り抜けることができる。したがって、通過口の通過性が良好である。
しかも、第二の扉体と開閉体本体との重ね合わせ部分により、閉鎖性が比較的高く維持される。
【００４６】
更に、第十の発明によれば、通過口がより閉鎖性の高い状態に変化した場合であっても、通過可能な状態であるため、非常時等の脱出性が損なわれてしまうのを防ぐことができる。
【発明を実施するための最良の形態】
【００４７】
以下、本発明の実施の形態を図面に基づいて説明する。
本実施の形態による一例は、住宅やビル、倉庫、工場、地下街、トンネル、車両の荷台等の構築・構造物の開口部分や、構築・構造物の内部に配設され、前記開口部分を開閉したり、構築・構造物内部の空間を仕切ったり開放したりする所謂スクリーンシャッター装置であって、特に、火災などが発生した際に、煙の拡散や延焼を防止するのに好適な開閉装置として説明するが、前記以外の目的で利用することも可能であり、例えば、冷気等の流出を防ぐために保冷庫などに配設されるシート状シャッター装置や、粉塵等の侵入を防ぐ目的でクリーンルーム等に利用されるシート状シャッター装置等としても有効である。
【００４８】
この開閉装置１は、シート状の開閉体１０、該開閉体１０の幅方向の端部を囲み開閉方向へ案内するガイドレール２０、開閉体１０を繰出したり巻取ったりする巻取り装置３０等を備え、該巻取り装置３０によって繰出されたり巻取られたりする前記開閉体１０により、空間を仕切ったり開放したりする。（図１参照）
【００４９】
開閉体１０は、通過可能な通過口１１ａを下端側に有する開閉体本体１１と、通過口１１ａを開閉可能にすべく開閉体本体１１に対し吊下げ状に設けられた第一の扉体１２および第二の扉体１２’とを備え、開閉体本体１１及び通過口１１ａの下端部には、開閉体幅方向にわたって座板部材１４を接続している。
【００５０】
開閉体本体１１は、例えば、ガラスクロスやシリカクロス等の難燃性布地や、フッ素加工を施した塩化ビニル樹脂シート材、ガラス繊維を含んだ合成樹脂シート材等、難燃性を有する可撓性シート材からなる。
この開閉体本体１１は、開閉体幅方向に長い略矩形帯状のシート材を、上下方向に複数連接するように縫い付けて構成してもよいし、一枚のシート材を略矩形状に裁断することで構成してもよい。
そして、この開閉体本体１１の下端側には、人や物などの物体を通過可能な通過口１１ａが形成されている。この通過口１１ａは、図示例の好ましい一例によれば、略矩形切欠状を呈する。
また、この開閉体本体１１の幅方向の端部には、ガイドレール２０内に係合することで、開閉体１０がガイドレール２０から開閉体幅方向へ抜けてしまうのを防止する抜止部材（図示せず）が、開閉体開閉方向にわたって複数配設されている。
【００５１】
また、第一の扉体１２と第二の扉体１２’は、それぞれ開閉体１０の表側と裏側とに具備され、図示例によれば略矩形状に形成されている。
第一の扉体１２と第二の扉体１２’の各々は、開閉体本体１１と略同材質の可撓性シート材からなり、開閉体本体１１同様に、開閉体幅方向に長い略矩形帯状のシート材を、上下方向に複数連接するように縫い付けて構成してもよいし、一枚のシート材を矩形状に裁断することで構成してもよい。
また、各扉体１２（１２’）の下端側は縦断面袋状に形成され、その袋状部位には、自重による閉動作を補助するように、錘部材１２ａを幅方向にわたって内在している。
【００５２】
そして、各扉体１２（１２’）は、その上端側が、通過口１１ａの上縁に沿うようにして開閉体本体１１に縫付けられ止着されるとともに、この止着部以外の端部を、通過口１１ａの周囲の面に重ね合わせている。
詳細には、各扉体１２（１２’）の両側端側の各々が、開閉体本体１１における通過口１１ａ近傍に重ね合わせられ、また、各扉体１２（１２’）の下端側が、座板部材１４の上部側に重ね合わせられる。
【００５３】
第一の扉体１２（図１によれば手前側の扉体１２）は、予め、その下端側が捲り上げられて着脱手段１２ｂにより開閉体本体１１に係止され、第二の扉体１２’は通過口１１ａを閉鎖している。
したがって、開閉体１０は、第一の扉体１２を全開位置（通過口１１ａが略全開となる位置）とし、第二の扉体１２’を全閉位置（通過口１１ａが略全閉となる位置）にしたまま、巻取り装置３０によって巻き取られる。
【００５４】
なお、第一の扉体１２と第二の扉体１２’の各々は、開閉体本体１１の表裏何れの側に配設されていてもよいが、好ましくは、図１（ａ）に示すように、矢印xで示す避難方向に、第一の扉体１２と第二の扉体１２’が順次に配設されるようにする。この構成によれば、通過口１１ａを通過しようとする通過者は、裏側の第二の扉体１２’を進行方向に押し開けることができるため、その際の開放操作性が良好である。
【００５５】
また、着脱手段１２ｂは、火災等の際の熱影響により係止状態を解除する部材であればよく、本実施の形態の好ましい一例によれば、接着剤が用いられている。
この接着剤は、捲り上げられた際の第一の扉体１２を通過口１１ａ上方の開閉体本体１１に接着して維持可能な接着強度を有し、且つ、火災等の熱影響により所定温度以上となった際には徐々に溶融する特性を備えている。
【００５６】
また、座板部材１４は、開閉体１０の閉鎖動作の際、自重によって開閉体１０を下方へ引っ張り、地面や床面等に当接される部材であり、開閉体本体１１及び通過口１１ａの下端側に、開閉体幅方向の略全長にわたって接続されている。
【００５７】
また、ガイドレール２０は、開閉体１０の幅方向の端部を囲んで、開閉体１０を開閉方向へ導くように形成された部材であり、例えば、断面略コ字状を呈し、閉鎖状態の開閉体１０の開閉方向にわたるように形成されている。
【００５８】
また、巻取り装置３０は、開閉体１０を巻取ったり繰出したりする巻取り軸（図示せず）や、該巻取り軸を回転するための駆動源（図示せず）等を収納ケース３１内に具備してなる。
この巻取り装置３０は、開閉体１０を巻取ったり繰出したりする機能を備えていれば特に限定されるものでないが、好ましい態様としては、災害時等に停電が発生した場合でも開閉体１０を閉鎖動作できるように、開閉体１０を電動駆動源により巻取り、同開閉体１０を自重によって繰出す構成とされる。
【００５９】
次に、上記開閉装置１による作用効果を、図示例に基づいて詳細に説明する。
先ず、開閉装置１は、火災等の災害時や避難訓練時等の際、図示しない制御部からの開閉体閉鎖信号により、巻取り装置３０から開閉体１０を繰出す。そして、開閉体１０は、空間を仕切った閉鎖状態となる。
この開閉体１０の閉鎖状態において、第一の扉体１２は、その下端側が捲り上げられて開閉体本体１１に接着されて、通過口１１ａを全開した位置を維持している。また、第二の扉体１２’は自重により垂れ下がって通過口１１ａを全閉した位置を維持している。
すなわち、開閉体本体１１の通過口１１ａは、第二の扉体１２’によって必要最小限の閉鎖性が確保される（図１（ａ）に示す状態）。
【００６０】
前記状態において、例えば、通過者が通過口１１ａを避難方向ｘへ通り抜けようとした場合、その通過者は、進行方向へ第二の扉体１２’を押し開けることで、比較的容易に通過口１１ａを通過することができる。
【００６１】
そして、火災等の熱影響により開閉体１０近傍の温度が上昇すると、着脱手段１２ｂが徐々に溶融し、第一の扉体１２が自重によって閉鎖動作する。
なお、着脱手段１２ｂが、熱影響を受けてから、徐々に溶融して第一の扉体１２が解放されるまでには、ある程度の時間がかかるため、通過者が通過口１１ａを通過するための時間が十分に確保される。
そして、第一の扉体１２が通過口１１ａを閉鎖すると、通過口１１ａは、双方の扉体１２，１２’によって高い閉鎖性が維持された状態となる。なお、この状態においても、通過者は、一方の扉体１２（１２’）を捲り上げ、更に他方の扉体１２’（１２）を押し開けることで、通過口１１ａの通過が可能である。
【００６２】
次に、図３に示す開閉装置２について説明する。なお、この開閉装置２において、上述した開閉装置１と略同様の構成部位については、同一の符号を用いるとともに、重複する詳細説明を省略する。
【００６３】
図３に示す開閉装置２は、上記開閉装置１の開閉体１０を、開閉体４０に置換した構成としている。
開閉体４０は、通過可能な通過口４１ａを下端側に有する開閉体本体４１と、前記通過口４１ａを開閉可能にすべく開閉体本体４１に対し吊下げ状に設けられた第一の扉体４２および第二の扉体４２’と、第一の扉体４２の下端側を上下方向へ案内する左右のガイド部４３，４３と、同第一の扉体４２を開放位置に維持する左右の着脱手段４４，４４とを備え、開閉体本体４１及び通過口４１ａの下端部には、上記開閉装置１の開閉体１０同様に、開閉体幅方向にわたって座板部材１４を接続している。
【００６４】
開閉体本体４１は、上記開閉装置１の開閉体本体１１と略同様に構成され、その下端側に人や物などの物体を通過可能な通過口４１ａを形成している。
【００６５】
第一の扉体４２は、その下端側に錘部材４２ａを装着し、該錘部材４２ａの両端部を、開閉体幅方向へ突出させている。
また、第二の扉体４２’は、上記開閉装置１のものと略同様に構成され、通過口４１ａを閉鎖するようにして、開閉体本体４１に対し吊下げ状に止着されている。
【００６６】
また、ガイド部４３は、上記開閉体本体１１と略同材質の可撓性シートからなり、第一の扉体４２の錘部材４２ａの両端部を開閉体本体４１に沿う上下方向へ案内するように、開閉体本体４１に止着されている。
より詳細に説明すれば、各ガイド部４３は、通過口４１ａの高さ寸法の略２倍程度の長さを有する帯状に形成され、通過口４１ａの側縁に沿うとともに、通過口４１ａの上方へ延びるように配置され、その上下端部を開閉体本体４１に止着し、更に通過口４１ａと逆側となる側端側も開閉体本体４１に止着している。
したがって、各ガイド部４３と開閉体本体４１との間には、上下方向へ連続する断面略袋状の空間（図５参照）が形成され、この空間に錘部材４２ａの端部が挿入される。
【００６７】
また、各着脱手段４４は、全開位置の第一の扉体４２の錘部材４２ａの各端部を係止し、この係止状態を所定の条件に応じて解除する構成であればよく、図示例によれば、ソレノイドの磁力と弾性体（例えばスプリング等）の弾性力とにより係合部材４４ａを往復動させる機構としている。
より詳細に説明すれば、この着脱手段４４は、弾性体の弾性力により係合部材４４ａを突出させ、該係合部材４４ａを錘部材４２ａの端部に係合させることで、扉体４２を全開位置に維持し、また、通電された際には、ソレノイドの磁力により係合部材４４ａを没入させ、錘部材４２ａとの係合状態を解除するように構成されている。
【００６８】
そして、前記着脱手段４４は、巻取り装置３０あるいは座板部材１４等に配設される図示しない制御部に電気的に接続されている。
この制御部は、火災の発生等に基づく開閉体閉鎖信号を受信する受信部や、着脱手段４４の電源となる電源回路、開閉体４０が閉鎖してから所定時間後に着脱手段４４への電源供給を開始するタイマー回路等を備える。
なお、着脱手段４４の前記制御部を巻取り装置３０側に配置する場合、着脱手段４４と前記制御部との電気配線を簡素にするために、着脱手段４４の位置は、巻取り装置３０近傍とすることが好ましく、更に、外観状の体裁を向上するためには、着脱手段４４の位置を、巻取り装置３０側のまぐさ部（図示を省略するが、巻取り装置３０側で開閉体１０の上端側を覆う部分）内とすることが好ましい。
【００６９】
次に、上記開閉装置２による作用効果を、図示例に基づいて詳細に説明する。
先ず、開閉装置２は、火災等の災害時や避難訓練時等の際、図示しない制御部からの開閉体閉鎖信号により、巻取り装置３０から開閉体４０を繰出す。そして、開閉体４０は、空間を仕切った閉鎖状態となる。
この開閉体４０の閉鎖状態において、第一の扉体４２は、その下端側が捲り上げられて左右の着脱手段４４，４４により係止された全開位置を維持している。また、第二の扉体４２’は自重により垂れ下がった全閉位置を維持している。
すなわち、開閉体本体４１の通過口４１ａは、前記第二の扉体４２’のみによって必要最小限の閉鎖性が確保される（図３及び図４（ａ）に示す状態）。
【００７０】
そして、前記開閉体４０の閉鎖後に、図示しない制御部のタイマー回路のカウントが開始され、第一の扉体４２が全開位置のまま所定時間維持される。
この状態において、例えば、通過者が通過口４１ａを避難方向ｘ（図４（ａ）参照）へ通り抜けようとした場合、その通過者は、進行方向へ向かって第二の扉体４２’を押し開けることで、比較的容易に通過口４１ａを通過することができる。
【００７１】
そして、開閉体４０の閉鎖後に所定時間経過すると、着脱手段４４が通電されることで係合部材４４ａによる係止状態が解除され、第一のの扉体４２が自重によって閉鎖する。したがって、双方の扉体４２，４２’によって高い閉鎖性が維持される。なお、この状態においても、通過者は、一方の扉体４２（４２’）を捲り上げ、更に他方の扉体４２’（４２）を押し開けることで、通過口１１ａの通過が可能である。
【００７２】
なお、上記開閉装置１においては、第一の扉体１２を開閉体本体１１に係止する手段として、接着剤からなる着脱手段１２ｂを用いたが、この着脱手段１２ｂを、上記開閉装置２における着脱手段４４に置換した構成とすることも可能である。
同様に、上記開閉装置２においては、第一の扉体４２を開閉体本体１１に係止する手段として着脱手段４４を用いたが、この着脱手段４４を、上記開閉装置１における着脱手段１２ｂに置換した構成とすることも可能である。
【００７３】
また、開閉装置１における着脱手段１２ｂは、上記構成に限定されるものでなく、例えば、開閉体本体１１に形状記憶合金や合成樹脂材料等からなる略フック状等の係合部を設けるとともに、該係合部に上記着脱手段１２ｂの下端側部位を係合させ、災害時に発生した熱により前記係合部が変形して係合状態が解除される構成としてもよい。また、同様にして、開閉装置２においても、着脱手段４４を前記係合部に置換した構成とすることが可能である。
【００７４】
また、上記開閉装置１及び開閉装置２においては、通過口１１ａ及び通過口４１ａを略矩形状に形成することで、特に通過性を向上した好ましい態様を示したが、閉鎖性をより重視する場合には、通過口１１ａ及び通過口４１ａを上下方向へ向かう切り込み部によって構成した態様や、通過口１１ａ及び通過口４１ａを上下方向へ向かう切り込み部と、該切り込み部の下端側で開閉体幅方向へ向かう切り込み部とから構成した態様等とすることも可能である。
【００７５】
また、上記開閉装置１によれば、開閉体１０が閉鎖状態となる前に、予め第一の扉体１２により通過口１１ａが開放されている構成とすることで、避難時に速やかに通過口１１ａを通過できるようにしているが、開閉体１０が閉鎖状態となった後に、手動や手作業等によって第一の扉体１２の下端側が捲り上げられて開閉体本体１１に係止されて、通過口１１ａが開放される構成とすることも可能である。また、開閉装置２においても同様の構成とすることが可能である。
【００７６】
また、上記開閉装置１によれば、開閉体１０の表裏側にそれぞれ第一の扉体１２と第二の扉体１２’とを具備することで、第一の扉体１２により通過口１１ａが開放されている時でも、第二の扉体１２’によって必要最小限の閉鎖性が維持されるようにしたが、通過口１１ａの通過性のみをより向上するために、第二の扉体１２’を省いた構成や、表裏の扉体１２，１２’の双方を各々着脱手段１２ｂによって開放位置に維持した構成等とすることも可能である。また、同様に、開閉装置２においても、第二の扉体４２’のみを省いた構成や、表裏の扉体４２，４２’の双方を各々着脱手段４４によって開放位置に維持した構成等とすることが可能である。
【図面の簡単な説明】
【００７７】
【図１】本発明に係わる開閉装置の一例を示す斜視図であり、（ａ）は扉体が開放されている状態を示し、（ｂ）は同扉体が閉鎖された状態を示す。
【図２】図１における(II)-(II)線断面図であり、（ａ）は扉体により通過口が開放されている状態を示し、（ｂ）は同扉体により通過口が閉鎖された状態を示す。
【図３】本発明に係わる開閉装置の他例を示す要部正面図。
【図４】図３における(IV)-(IV)線断面図であり、（ａ）は扉体により通過口が開放されている状態を示し、（ｂ）は同扉体により通過口が閉鎖された状態を示す。
【図５】図３における(V)-(V)線断面図。
【符号の説明】
【００７８】
１，２：開閉装置
１０，４０：開閉体
１１，４１：開閉体本体
１１ａ，４１ａ：通過口
１２，４２：第一の扉体
１２’，４２’：第二の扉体
１２ｂ，４４：着脱手段
４３：ガイド部
【図１】
2005232911.tif 000003
【図２】
2005232911.tif 000004
【図３】
2005232911.tif 000005
【図４】
2005232911.tif 000006
【図５】
2005232911.tif 000007